(57)【要約】【課題】撮像機器側で生じる表示ムラを相殺し、一般的な撮像機器を用いて、高い精度で、表示装置側で生じる表示ムラを計測できるようにする。【解決手段】画像ムラの計測対象となる表示装置５０１と、表示装置５０１の画像を撮影する撮像機器５０２と、処理装置５０３とを設ける。撮像機器５０２で、表示装置に表示された画像の中で表示ムラが少ない領域を基準エリアとし、撮像機器の全撮像領域をカバーするように、基準エリアを撮影する。処理装置５０３で、基準エリアを撮影した画像を用いて撮像機器５０２側により生じるムラを計測する。【選択図】図１２
2017156305.tif 000002
【特許請求の範囲】
【請求項１】
画像ムラの計測対象となる表示装置と、
前記表示装置の画像を撮影する撮像機器と、
前記表示装置に表示された画像の中で表示ムラが少ない領域を基準エリアとし、撮像機器の全撮像領域をカバーするように、前記基準エリアを撮影した画像を用いて、撮像機器側により生じるムラを計測する処理装置と、
を備えることを特徴とする画像ムラ計測システム。
【請求項２】
前記撮像機器は、固定治具によって固定し、前記撮像機器の撮像方向及び前記撮像機器と前記表示装置との間の距離を一定に保つことを特徴とする請求項１に記載の画像ムラ計測システム。
【請求項３】
前記撮像機器は前記表示装置に密着されていることを特徴とする請求項１に記載の画像ムラ計測システム。
【請求項４】
表示装置の表示ムラを計測する表示ムラ計測方法であって、
表示装置に画像を表示する工程と、
前記表示装置に表示された画像の中で表示ムラが少ない領域を基準エリアとし、撮像機器の全撮像領域をカバーするように、前記撮像機器により前記基準エリアを撮影する工程と、
前記撮像機器により撮影された基準エリアの画像を用いて撮像機器側により生じるムラを計測する工程と、
を含むことを特徴とする画像ムラ計測方法。
【請求項５】
前記基準エリアを撮影する工程では、撮像機器の全撮像領域をカバーするように、前記撮像機器により前記基準エリアを複数回撮影し、
前記撮像機器側により生じるムラを計測する工程では、前記撮像機器により撮影された複数の画像を合成し、当該合成された画像を用いて撮像機器側により生じるムラを計測する
ことを特徴とする請求項４に記載の画像ムラ計測方法。
【請求項６】
更に、前記撮像機器側により生じる画像ムラの分布データから、前記撮像機器側により生じる画像ムラの分布を反転させたデータを作成する工程と、
前記撮像機器側により生じる画像ムラの分布を反転させたデータと、前記撮像機器側により生じる画像ムラの分布データとを掛け合わせることによって、撮像機器側により生じる画像ムラをキャンセルする工程と、
を含むことを特徴とする請求項４又は５に記載の画像ムラ計測方法。
【請求項７】
更に、前記撮像機器側により生じる画像ムラをキャンセルする画像を前記表示装置に表示する工程と、
前記撮像機器により前記表示装置の全体画像を撮影して、表示装置側により生じる画像ムラを計測する工程と、
を含むことを特徴とする請求項６に記載の画像ムラ計測方法。
【請求項８】
表示装置に表示された画像の中で表示ムラが少ない領域を基準エリアとし、撮像機器の全撮像領域をカバーするように、前記撮像機器により前記基準エリアを撮影した画像を入力する入力部と、
前記基準エリアを複数した画像を用いて撮像機器側により生じるムラを計測する計測部と、
を備えることを特徴とする画像ムラ計測装置。
【請求項９】
表示装置に表示された画像の中で表示ムラが少ない領域を基準エリアとし、撮像機器の全撮像領域をカバーするように、前記撮像機器により前記基準エリアを撮影した画像を入力するステップと、
前記基準エリアを撮影した画像を用いて撮像機器側により生じるムラを計測するステップと、
を含むコンピュータにより実行可能なプログラム。
【発明の詳細な説明】
【技術分野】
【０００１】
本発明は、画像ムラ計測システム、画像ムラ計測方法、画像ムラ計測装置、及びプログラムに関する。
【背景技術】
【０００２】
画像の明るさや色合い等を含めて画像の評価を行う場合において、表示装置の表示の輝度若しくは色度が、表示領域全面に渡って均一となっていることが望ましい。表示ムラのない均一な画面を表示装置に表示させるために、従来、製造工程において、表示ムラの補正処理が行われている。この表示ムラの補正処理は、輝度・色度の２次元的な分布を測定できる特殊な測定装置を用い、まず表示装置本来の表示ムラを測定した後に、輝度が高い部分については最も輝度の低い部分に近づけるように表示装置の光量を調整し、色むらについては、ターゲットとする色座標に近づくようにＲＧＢ（赤、緑、青）のゲインを調整するようにして行われている（例えば特許文献１）。
【先行技術文献】
【特許文献】
【０００３】
【特許文献１】特開２０１３−１２８２５５号公報
【発明の概要】
【発明が解決しようとする課題】
【０００４】
しかしながら、たとえ製造工程において表示ムラの補正処理を行ったとしても、経時的な温度変化や表示装置の劣化などの影響により、ユーザが使用を重ねていくに従い、表示装置の表示ムラが劣化していくことがある。表示装置の表示ムラが劣化した場合、現状では表示装置の製造工程で使用されている特殊な測定機器を使用して、再度、表示ムラの調整処理を行って対応している。
ところが、このような特殊な測定機器を使用するためには、表示装置をユーザ宅から預かり、この表示装置を測定機器の設置されている特別な環境下に持ち込む必要がある。そのため、ユーザは現在使用している表示装置を一時的に手放す必要があり、その期間内では、ユーザは、表示装置の使用ができない状態になるか、又は代替品にて対応することになる。
【０００５】
そこで、ユーザの一般的な環境下でも簡易的に表示装置の表示ムラの補正処理が行えることが要望されている。ところが、一般的な環境下で表示装置の表示ムラの補正処理を行う場合、表示装置の表示画面を測定するための撮像機器の精度が問題になる。すなわち、一般的な環境下で表示装置の表示ムラの補正処理を行う場合、表示装置の表示画面を取得するのに、一般的に普及しているデジタルカメラ等の撮像機器が用いられることになる。
【０００６】
表示ムラの補正処理で使用されている測定装置は、２次元的な輝度・色度の分布を正確に測定するため、測定装置側で測定ムラが発生しないことを意図して、高い精度で光学系が設計されている。ところが、一般的に普及しているデジタルカメラは、そのような用途を考慮して設計されていないため、撮像機器のイメージセンサにより生じる表示ムラや、レンズ等の光学系により生じる表示ムラなどを含んでいる。
したがって、一般的に普及しているデジタルカメラ等の撮像機器を用いて表示装置の表示ムラを計測すると、表示装置側で生じる表示ムラと、撮像機器側で生じる表示ムラとの２つの要素が合わさってしまい、表示装置側で生じる表示ムラを正確に測定することが難しくなる。
【０００７】
上述の課題を鑑み、本発明は、撮像機器側で生じる表示ムラを相殺し、一般的な撮像機器を用いて、高い精度で、表示装置側で生じる表示ムラを計測できる画像ムラ計測システム、画像ムラ計測方法、画像ムラ計測装置、及びプログラムを提供することを目的とする。
【課題を解決するための手段】
【０００８】
上述の課題を鑑み、本発明の一態様に係る画像ムラ計測システムは、画像ムラの計測対象となる表示装置と、前記表示装置の画像を撮影する撮像機器と、前記表示装置に表示された画像の中で表示ムラが少ない領域を基準エリアとし、撮像機器の全撮像領域をカバーするように、前記基準エリアを撮影した画像を用いて、前記撮像機器側により生じるムラを計測する処理装置とを備えることを特徴とする。
【０００９】
本発明の一態様に係る画像ムラ計測方法は、表示装置の表示ムラを計測する表示ムラ計測方法であって、表示装置に画像を表示する工程と、前記表示装置に表示された画像の中で表示ムラが少ない領域を基準エリアとし、撮像機器の全撮像領域をカバーするように、前記撮像機器により前記基準エリアを撮影する工程と、前記撮像機器により撮影された基準エリアの画像を用いて撮像機器側により生じるムラを計測する工程とを含むことを特徴とする。
【００１０】
本発明の一態様に係る画像ムラ計測装置は、表示装置に表示された画像の中で表示ムラが少ない領域を基準エリアとし、撮像機器の全撮像領域をカバーするように、前記撮像機器により前記基準エリアを撮影した画像を入力する入力部と、前記基準エリアを複数した画像を用いて撮像機器側により生じるムラを計測する計測部と、を備えることを特徴とする。
【００１１】
本発明の一態様に係るプログラムは、表示装置に表示された画像の中で表示ムラが少ない領域を基準エリアとし、撮像機器の全撮像領域をカバーするように、前記撮像機器により前記基準エリアを撮影した画像を入力するステップと、前記基準エリアを撮影した画像を用いて前記撮像機器側により生じるムラを計測するステップとを含むことを特徴とする。
【発明の効果】
【００１２】
本発明によれば、撮像機器側で生じる表示ムラを相殺して、表示装置側で生じる表示ムラを測定できる。これにより、一般的に用いられるデジタルカメラを撮像機器として用いても、高い精度で、表示装置側で生じる表示ムラを測定できる。
【図面の簡単な説明】
【００１３】
【図１】本発明の第１の実施形態に係る表示ムラ計測システムの構成の説明図である。
【図２】本発明の第１の実施形態に係る表示ムラ計測システムにおける処理装置の概要を示すブロック図である。
【図３】表示ムラの計測工程の説明に用いるフローチャートである。
【図４】表示ムラの計測の各工程の説明図である。
【図５】表示ムラの計測の各工程の説明図である。
【図６】表示ムラの計測の各工程の説明図である。
【図７】表示ムラの計測の各工程の説明図である。
【図８】本発明の第２の実施形態に係る表示ムラ計測システムの構成の説明図である。
【図９】本発明の第３の実施形態に係る表示ムラ計測システムの構成の説明図である。
【図１０】本発明の第３の実施形態に係る表示ムラ計測システムの説明図である。
【図１１】本発明の第３の実施形態に係る表示ムラ計測システムの説明図である。
【図１２】本発明による画像ムラ計測システムの基本構成を示す概略ブロック図である。
【発明を実施するための形態】
【００１４】
以下、本発明の実施の形態について図面を参照しながら説明する。
＜第１の実施形態＞
図１は、本発明の第１の実施形態に係る表示ムラ計測システム１の構成を示すものである。図１に示すように、本発明の第１の実施形態に係る表示ムラ計測システム１は、表示装置１１と、撮像機器１２と、処理装置１３とから構成される。
【００１５】
表示装置１１は、表示ムラの計測対象の装置である。
撮像機器１２は、表示装置１１の表示画面を取得するための装置である。撮像機器１２としては、一般的なデジタルカメラを用いることができる。
処理装置１３は、撮像機器１２の撮像画面を用いて、表示ムラを計測する機器である。処理装置１３は、後に説明するように、表示装置１１にテスト画像を表示させる機能を有している。また、処理装置１３は、基準エリアを選定するためのグリッドを表示させる機能を有している。また、処理装置１３は、基準エリアを撮像範囲で撮影した撮像機器１２の撮像画像から、撮像機器１２側で生じる表示ムラのデータを求める機能を有している。また、処理装置１３は、撮像機器１２側で生じる表示ムラをキャンセルした画像から、表示装置１１側で生じる表示ムラのデータを求める機能を有している。
【００１６】
表示装置１１と処理装置１３との間は、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ；高精細度マルチメディアインターフェース）を介して接続されている。なお、表示装置１１と処理装置１３との間のインターフェースは、ＨＤＭＩ（登録商標）に限定されず、ＲＧＢコンポーネントビデオ端子やコンポジットビデオ端子等、どのようなものを用いても良い。
【００１７】
撮像機器１２と処理装置１３とは、例えばＵＳＢ（Ｕｎｉｖｅｒｓａｌ  Ｓｅｒｉａｌ  Ｂｕｓ；ユニバーサル・シリアル・バス）で接続される。なお、撮像機器１２と処理装置１３との間のインターフェースは、ＵＳＢに限定されず、ＬＡＮ（Ｌｏｃａｌ  Ａｒｅａ  Ｎｅｔｗｏｒｋ；構内通信網）やＲＳ−２３２（Ｒｅｃｏｍｍｅｎｄｅｄ  Ｓｔａｎｄａｒｄ  ２３２）等の有線インターフェース、Ｂｌｕｅｔｏｏｔｈ（登録商標）、またはＷｉ−Ｆｉ（Ｗｉｒｅｌｅｓｓ  Ｆｉｄｅｌｉｔｙ；ワイファイ）などの無線インターフェース等、どのようなものを用いても良い。
また、撮像機器１２で撮影された画像をメモリカードに記憶しておき、このメモリカードを表示装置１１に装着することで、撮像機器１２で撮影された画像を処理装置１３に転送しても良い。
【００１８】
図２は、処理装置１３の概要を示すブロック図である。図２に示すように、処理装置１３は、ＣＰＵ（Ｃｅｎｔｒａｌ  Ｐｒｏｃｅｓｓｉｎｇ  Ｕｎｉｔ；中央演算処理装置）２１と、ＲＯＭ（Ｒｅａｄ  Ｏｎｌｙ  Ｍｅｍｏｒｙ；読み出し専用メモリ）２２と、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）２３と、記憶部２４と、入力部２５と、表示駆動部２６と、外部インターフェース２７とから構成されている。
【００１９】
ＣＰＵ２１は、コマンドを解釈して、各種の処理を行う。本実施形態では、ＣＰＵ２１は、表示装置１１にテスト画像を表示させる処理や、基準エリアを選定するためのグリッドを表示させる処理を行う。また、ＣＰＵ２１は、基準エリアを撮像範囲で撮影した撮像機器１２の撮像画像から、撮像機器１２側で生じる表示ムラのデータを求める処理を行う。また、ＣＰＵ２１は、撮像機器１２側で生じる表示ムラをキャンセルした画像から、表示装置１１側で生じる表示ムラのデータを求める処理を行う。
【００２０】
ＲＯＭ２２には、ブートプログラムが記憶されている。
ＲＡＭ２３は、ＣＰＵ２１において実行されるプログラムの作業領域等を記憶するメインメモリとして用いられる。
記憶部２４は、ハードディスクメモリやフラッシュメモリからなり、各種のデータやプログラムを記憶している。
入力部２５は、キーボードやマウス等からなり、入力情報を入力する。
表示駆動部２６は、ＨＤＭＩ（登録商標）インターフェース等を介して、表示装置１１と接続されており、ＣＰＵ２１の制御に基づいて、各種の表示情報を表示装置１１に出力する。
【００２１】
外部インターフェース２７は、ＵＳＢインターフェース等であり、外部インターフェース２７には、撮像機器１２が接続されている。
処理装置１３は、外部インターフェース２７を介して、撮像機器１２の撮像画像を入力する。
【００２２】
次に、本発明の第１の実施形態に係る表示ムラ計測システム１を用いた表示装置の表示ムラ補正処理について、図３のフローチャートを参照しながら説明する。
【００２３】
まず、ユーザは、表示ムラ計測システム１を構成する各機器をセットする（ステップＳ１）。すなわち、ユーザは、表示装置１１の表示画面の前面に、撮像機器１２を配置する。そして、表示装置１１と処理装置１３との間を、ＨＤＭＩ（登録商標）で接続し、撮像機器１２と処理装置１３との間を、ＵＳＢで接続する。
【００２４】
次に、ユーザは、処理装置１３の入力部２５を操作し、処理装置１３からテスト画像を出力させ、表示装置１１に表示させる（ステップＳ２）。テスト画像としては、全面単色な映像が用いられる。本実施形態では、テスト画像としては、グレーの単色画面を表示させるものとする。
【００２５】
図４（Ａ）は、このときの表示装置１１の表示画面の一例である。上述のように、テスト画像はグレーの単色画面である。しかしながら、表示装置１１に表示される画面は、一様に単色な画面にならず、図４（Ａ）に示すように、表示ムラが含まれている。ユーザは、図４（Ａ）に示すような画面が表示装置１１に表示されたら、この画面中から、表示ムラのない領域を確認する。
【００２６】
次に、ユーザは、処理装置１３の入力部２５を操作し、処理装置１３からのテスト画像にグリッドを表示させる（ステップＳ３）。ここでは、処理装置１３は、例えば画面を（５×３＝１５）に分割するグリッドを発生している。なお、グリッドは、ムラのない領域をユーザに選択させることを目的として表示するものである。グリッドでの選択は一例であり、その細かさやグリッドの形状については任意である。
【００２７】
グリッドが表示されたら、ユーザは、ムラのない領域を確認し、入力部２５を操作して、表示ムラのない領域を基準エリアとして指定する（ステップＳ４）。
【００２８】
なお、ここでいうムラのない領域とは、グリッドによって画面が分割された複数の画面領域の中で、ムラが少ない領域（または、ムラがない領域）である。例えば、ここでいうムラのない領域とは、画面領域内において最も輝度が高い部分と画面領域内において最も輝度が低い部分との輝度の差を計測し、その輝度の差が最も小さい画面領域のことである。または、例えば、ここでいうムラのない領域とは、各画面領域内の任意の２か所の部分において最も色差が大きい部分の色差（最大色差）を計測し、その最大色差が最も小さい画面領域のことである。
【００２９】
図４（Ｂ）は、テスト画像を表示したときの表示装置１１の表示画面である。この表示画面から、破線で囲んで示す領域は、表示ムラが殆ど発生していないことが確認できる。図４（Ｃ）に示すように、グリッドが表示されたら、ユーザは、このグリッドを使って、表示ムラのない領域を基準エリアとして指定する。ユーザが入力部２５を操作して、表示ムラのない領域を基準エリアとして指定すると、その場所の入力情報を受け、図４（Ｄ）に示すように、基準エリアが枠によりマーキングされる。
【００３０】
次に、ユーザは、撮像機器１２の全撮像領域をカバーするように、撮像機器１２で、基準エリアを複数回撮影する（ステップＳ５）。
図５は、このときの撮影処理を示している。まず、ユーザは、図５（Ａ）に示すように、基準エリアが撮像機器１２の撮影領域の左端上側に来るように撮像機器１２の位置を設定し、表示装置１１の表示画面を撮影する。次に、ユーザは、図５（Ｂ）に示すように、基準エリアが撮像機器１２の撮影領域の左端中央に来るように撮像機器１２の位置を設定し、表示装置１１の表示画面を撮影する。次に、ユーザは、図５（Ｃ）に示すように、基準エリアが撮像機器１２の撮影領域の左端下側に来るように撮像機器１２の位置を設定し、表示装置１１の表示画面を撮影する。以下、図５（Ｄ）に示すように、基準エリアが撮像機器１２の撮影領域の全領域に渡るように撮像機器１２の位置を順に動かして、表示装置１１の表示画面を撮影する。
【００３１】
なお、撮像機器１２で表示装置１１の画面を撮影する際、撮像機器１２の撮像領域の全ての領域で基準エリアが撮影されれば良く、静止画で撮影するか、動画で撮影するかは問わない。但し、基準エリアの明るさ・色度が撮像機器から見て変化してしまうと合成した際にムラをつくってしまうため、表示装置１１の輝度や色度を変化させないように固定することと、表示装置１１と撮像機器１２との間の距離や角度を固定すること、外光等の外乱を除くことが必要となる。
【００３２】
このようにして、撮像機器１２の全撮像領域をカバーするように、基準エリアが撮影されたら、ユーザは、撮像画像のデータを撮像機器１２から処理装置１３に転送する（ステップＳ６）。
【００３３】
次に、ユーザは、処理装置１３の入力部２５を操作し、処理装置１３に、撮像機器１２側で生じる表示ムラのデータの取得処理を行わせる（ステップＳ７）。撮像機器１２側で生じる表示ムラのデータの取得処理では、処理装置１３は、ステップＳ５で撮影された複数の撮像画像から基準エリアの部分を抽出し、これらを順番に組み合わせて一つの画像を生成する。そして、基準エリアの撮像画像を合成した画像をリファレンスとして、撮像機器１２側で生じる表示ムラの分布を表す２次元データを取得する。
【００３４】
つまり、表示装置１１の表示画面を撮像機器１２で撮影した場合、撮像機器１２の撮像画面中には、表示装置１１側の表示ムラと、撮像機器１２側で生じる表示ムラとが含まれる。しかしながら、基準エリアは、表示装置１１側の表示ムラのない部分として指定された領域である。したがって、基準エリアの撮像画像を合成して生成された画像には、表示装置１１側で生じる表示ムラは殆ど含まれていない。このことから、基準エリアの撮像画像を合成した画像からムラの分布を取得することで、撮像機器１２側で生じる表示ムラの二次元分布データを取得できる。
【００３５】
撮像機器１２側で生じる表示ムラのデータが取得できたら、ユーザは、処理装置１３の入力部２５を操作し、処理装置１３から、撮像機器１２側で生じる表示ムラをキャンセルしたテスト画像を出力させ、表示装置１１に表示させる（ステップＳ８）。
【００３６】
つまり、図６（Ａ）は、ステップＳ７で取得された撮像機器１２側で生じる表示ムラのデータの分布を示している。図６（Ｂ）に示すように、この撮像機器１２側で生じる表示ムラのデータを反転させて、テスト信号に重畳すると、図６（Ｃ）に示すような撮像機器１２側で生じる表示ムラをキャンセルできる。
【００３７】
次に、ユーザは、撮像機器１２を操作して、撮像機器１２の全画面を撮影する（ステップＳ９）。
【００３８】
全画面が撮影されたら、ユーザは、撮像画像のデータを撮像機器１２から処理装置１３に転送する（ステップＳ１０）。
【００３９】
次に、ユーザは、処理装置１３の入力部２５を操作し、処理装置１３に、表示装置１１側の表示ムラのデータの取得処理を行わせる（ステップＳ１１）。表示装置１１側の表示ムラのデータの取得処理では、処理装置１３は、ステップＳ９で撮影された撮像画像をリファレンスとして、表示装置１１側で生じる表示ムラの分布を表す２次元データを取得する。
【００４０】
つまり、図７（Ａ）に示すように、表示装置１１の表示画面に、撮像機器１２側で生じる表示ムラをキャンセルしたテスト画像を表示させて、表示装置１１の全画面を撮像機器１２により撮影する。このとき、撮像機器１２から、図７（Ｂ）に示すような撮像画像が得られたとする。上述のように、撮像機器１２側で生じる表示ムラはキャンセルされているので、この撮像画像に含まれているのは、表示装置１１側の表示ムラだけである。このことから、撮像機器１２の撮像画像からムラの分布を取得することで、表示装置１１側の表示ムラの二次元分布データを取得できる。
【００４１】
表示装置１１側の表示ムラのデータが取得できたら、図７（Ｃ）に示すように、表示装置１１側で生じる表示ムラの分布を表した２次元データを元に、表示装置１１１の表示ムラをキャンセルするデータを作成し、表示装置の映像と掛け合わせることで、図７（Ｄ）に示すように、表示装置１１側で生じる表示ムラを均一化することができる。
【００４２】
以上説明したように、本発明の第１の実施形態では、ユーザは、表示装置１１に単色のテスト画像を表示させ、表示ムラの少ない領域を指定し、この表示ムラの少ない領域を基準エリアとして処理装置１３に指定する。そして、ユーザは、撮像機器１２の全撮像領域をカバーするように、複数の基準エリアを撮影する。これら、複数の基準エリアの撮像画像から一枚の画像を合成することで、撮像機器１２側で生じる表示ムラ分布データを取得することができる。
【００４３】
その後、取得した撮像機器１２側で生じる表示ムラ分布データを元に、撮像機器１２側で生じる表示ムラを相殺するデータを処理装置１３側で作成し、撮像機器１２側で取得したデータに対し掛け合わせる処理を行うことで、撮像機器１２側で生じる表示ムラのない画像を表示装置１１に表示することが可能となる。この状態で、ユーザは、表示装置１１の全画面を撮像機器１２で撮影することで、表示装置１１側の表示ムラを測定することができる。
【００４４】
＜第２の実施形態＞
図８は、本発明の第２の実施形態に係る表示ムラ計測システム１０１の構成を示すものである。
図８に示すように、本発明の第２の実施形態に係る表示ムラ計測システム１０１は、表示装置１１１と、撮像機器１１２と、処理装置１１３と、Ｘ−Ｙステージ１１４とから構成される。表示装置１１１、撮像機器１１２、処理装置１１３は、第１の実施形態における表示装置１１、撮像機器１２、処理装置１３と同様である。
【００４５】
前述の第１の実施形態では、撮像機器１２側で生じる表示ムラを取得するために、ユーザは、撮像機器１２の全撮像領域をカバーするように、基準エリアを複数回撮影している。このとき、撮像機器から見た輝度・色度が変化しないように、表示装置１１と撮像機器１２との距離と角度は常に一定であることが望ましい。しかしながら、ユーザの作業では、表示装置１１と撮像機器１２との距離と角度を確実に固定することは難しい。
【００４６】
これに対して、この第２の実施形態では、撮像機器１１２は、Ｘ−Ｙステージ１１４の可動部に載置されている。これにより、撮像機器１１２は、表示装置１１と撮像機器１２との距離と角度を一定に保ったまま、Ｘ−Ｙステージ１１４の可動範囲の分だけ自由に動くことができ、表示装置１１１の基準エリアを高い精度で撮像できる。
【００４７】
＜第３の実施形態＞
図９は、本発明の第３の実施形態に係る表示ムラ計測システム２０１の構成を示すものである。
図９に示すように、本発明の第３の実施形態に係る表示ムラ計測システム２０１は、表示装置２１１と、撮像機器２１２と、処理装置２１３とから構成される。表示装置２１１、撮像機器２１２、処理装置２１３は、第１の実施形態における表示装置１１、撮像機器１２、処理装置１３と同様である。本実施形態では、撮像機器１２は、表示装置１１の基準エリアの位置に密着されている。
【００４８】
前述の第１の実施形態では、撮像機器１２側で生じる表示ムラを取得するために、ユーザは、撮像機器１２の全撮像領域をカバーするように、基準エリアを複数回撮影している。このとき、撮像機器から見た輝度・色度が変化しないように、表示装置１１と撮像機器１２との距離と角度は常に一定であることが望ましい。また、撮像機器１２側で生じる表示ムラのデータを取得する際に、複数の撮像画像から基準エリアの部分を抽出し、これらを順番に組み合わせて一つの画像を生成する必要がある。
【００４９】
これに対して、この第３の実施形態では、図１０に示すように、撮像機器２１２は表示装置２１１の表示面２１５と密着されている。これにより、撮像機器２１２と表示装置２１１との距離と角度を固定することができる。
【００５０】
また、図１１に示すように、基準エリア２１６の撮像画像が撮像機器２１２の全撮像領域に収まるように、撮像機器２１２を表示装置２１１に近接して配置すれば、撮像機器２１２から得られる画像は、全領域が表示ムラのない基準エリアから得られた画像となる。したがって、１回の撮影で撮像機器２１２から得られる画像をそのまま用いて、撮像機器２１２側で生じる表示ムラのデータを取得できる。このため、複数枚の基準エリアを撮影し、それらを組み合わせる処理が不要となる。
【００５１】
ただし、表示装置２１１の表示面と撮像機器２１２とを非常に近接させるため、表示装置２１１が持つ表示画素と撮像機器２１２が持つイメージセンサの画素の大きさの差が干渉し、モアレが観測される可能性がある。これについては、例えば撮像機器２１２側のフォーカスを調整し、モアレが発生しにくい条件で撮影する方法や、処理装置２１３側でモアレを除去する画像処理を実施するなどの方法で対応することが可能である。
【００５２】
図１２は、本発明による画像ムラ計測システム５００の基本構成を示す概略ブロック図である。
図１２に示すように、本発明による画像ムラ計測システム５００は、表示装置５０１と、撮像機器５０２と、処理装置５０３とを基本構成とする。
表示装置５０１は、画像ムラの計測対象となる。
撮像機器５０２は、表示装置５０１の画像を撮影する。
処理装置５０３は、表示装置５０１に表示された画像の中で表示ムラが少ない領域を基準エリアとし、撮像機器５０２の全撮像領域をカバーするように、基準エリアを撮影した画像を用いて撮像機器５０２側により生じるムラを計測する。
【００５３】
なお、表示ムラ計測システム１の全部または一部の機能を実現するためのプログラムをコンピュータ読み取り可能な記録媒体に記録して、この記録媒体に記録されたプログラムをコンピュータシステムに読み込ませ、実行することにより各部の処理を行ってもよい。なお、ここでいう「コンピュータシステム」とは、ＯＳや周辺機器等のハードウェアを含むものとする。
また、「コンピュータシステム」は、ＷＷＷシステムを利用している場合であれば、ホームページ提供環境（あるいは表示環境）も含むものとする。
【００５４】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであっても良く、さらに前述した機能をコンピュータシステムにすでに記録されているプログラムとの組み合わせで実現できるものであっても良い。
【００５５】
以上、本発明の実施形態について図面を参照して詳述してきたが、具体的な構成はこの実施形態に限られるものではなく、この発明の要旨を逸脱しない範囲の設計変更等も含まれる。
【符号の説明】
【００５６】
１：表示ムラ計測システム，１１：表示装置，１２：撮像機器，１３：処理装置，２４：記憶部，２５：入力部，２６：表示駆動部，２７：外部インターフェース
【図１】
2017156305.tif 000003
【図２】
2017156305.tif 000004
【図３】
2017156305.tif 000005
【図４】
2017156305.tif 000006
【図５】
2017156305.tif 000007
【図６】
2017156305.tif 000008
【図７】
2017156305.tif 000009
【図８】
2017156305.tif 000010
【図９】
2017156305.tif 000011
【図１０】
2017156305.tif 000012
【図１１】
2017156305.tif 000013
【図１２】
2017156305.tif 000014